【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
遊技機に隣接して設置され、遊技媒体を排出可能な遊技媒体排出部と、
排出する遊技媒体が所定数以上または所定数未満であるかを判定する所定数判定手段と、
前記排出する遊技媒体が所定数以上の場合には、前記遊技機内から前記所定数の遊技媒体を排出させ、前記排出する遊技媒体が所定数未満の場合には、前記遊技媒体排出部から排出させるよう排出経路を切り替える排出経路切替手段と
を具備することを特徴とする遊技媒体排出機。
【請求項２】
前記排出する遊技媒体が所定数未満となるのは、前記所定数から消費税に対応する遊技媒体数を減算したとき、または獲得した遊技媒体を再び遊技に用いる再遊技に係る手数料に対応する遊技媒体数を減算したときであることを特徴とする請求項１記載の遊技媒体排出機。
【請求項３】
遊技機に隣接して設置され、遊技媒体を排出可能な遊技媒体排出部と、
排出要求に基づいて、前記遊技機内から遊技媒体を排出させ、または前記遊技媒体排出部から遊技媒体を排出させるよう排出経路を切り替える排出経路切替手段と
を具備することを特徴とする遊技媒体排出機。
【請求項４】
前記遊技媒体排出部から遊技媒体を排出させるのは、消費税に対応する遊技媒体数を減算して排出するとき、または獲得した遊技媒体を再び遊技に用いる再遊技に係る手数料に対応する遊技媒体数を減算して排出するときであることを特徴とする請求項３記載の遊技媒体排出機。
【請求項５】
１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、消費税に対応する遊技媒体数の減算、または獲得した遊技媒体を再び遊技に用いる再遊技に係る手数料に対応する遊技媒体数の減算を行うことを特徴とする請求項１乃至４のいずれか１項記載の遊技媒体排出機。
【請求項６】
貸し出される遊技媒体に係る消費税に対応する遊技媒体数を減算、または獲得した遊技媒体を再び遊技に用いる再遊技に係る手数料に対応する遊技媒体数を減算して、遊技媒体を排出可能な遊技媒体排出機であって、
１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、前記消費税に対応する遊技媒体数の減算、または前記獲得した遊技媒体を再び遊技に用いる再遊技に係る手数料に対応する遊技媒体数の減算を行うことを特徴とする遊技媒体排出機。
【請求項７】
前記消費税に対応する遊技媒体数を減算、または前記獲得した遊技媒体を再び遊技に用いる再遊技に係る手数料に対応する遊技媒体数を減算して、遊技媒体を排出する場合において、
前記消費税に対応する遊技媒体数または前記獲得した遊技媒体を再び遊技に用いる再遊技に係る手数料に対応する遊技媒体数を算出する際の端数に対応して、遊技媒体の排出に係る、前記消費税に対応する遊技媒体数または前記再遊技に係る手数料に対応する遊技媒体数を変更可能とし、排出される遊技媒体数から、該遊技媒体の排出に係る、消費税に対応する遊技媒体数または再遊技に係る手数料に対応する遊技媒体数を減算して、遊技媒体を排出することを特徴とする請求項１乃至６のいずれか１項記載の遊技媒体排出機。
【請求項８】
前記消費税に対応する遊技媒体数または前記再遊技に係る手数料に対応する遊技媒体数を変更する際、端数を積算して、該積算値が遊技媒体を排出可能な数値となったときに、前記排出可能な数値に対応する数の遊技媒体を排出することを特徴とする請求項７記載の遊技媒体排出機。
【請求項９】
貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、
排出する遊技媒体が所定数以上または所定数未満であるかを所定数未満判定手段が判定する所定数未満判定ステップと、
前記排出する遊技媒体が所定数以上の場合には、隣接された遊技機内から前記所定数の遊技媒体を排出させ、前記排出する遊技媒体が所定数未満の場合には、前記遊技機に隣接して設置された遊技媒体排出部から排出させるよう排出経路切替手段が排出経路を切り替える排出経路切替ステップと
を具備することを特徴とする遊技媒体排出方法。
【請求項１０】
貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、
排出要求に基づいて、隣接された遊技機内から遊技媒体を排出させ、または前記遊技機に隣接して設置された遊技媒体排出部から遊技媒体を排出させるよう排出経路切替手段が排出経路を切り替える排出経路切替ステップを具備することを特徴とする遊技媒体排出方法。
【請求項１１】
貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、
前記遊技媒体排出機が、１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、前記消費税に対応する遊技媒体数の減算、または前記獲得した遊技媒体を再び遊技に用いる再遊技に係る手数料に対応する遊技媒体数の減算を行うことを特徴とする遊技媒体排出方法。
【請求項１２】
遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、
前記遊技媒体排出機が、
排出する遊技媒体が所定数以上または所定数未満であるかを判定する所定数判定手段と、
前記排出する遊技媒体が所定数以上の場合には、前記遊技機内から前記所定数の遊技媒体を排出させ、前記排出する遊技媒体が所定数未満の場合には、前記遊技媒体排出部から排出させるよう排出経路を切り替える排出経路切替手段と
を具備することを特徴とする遊技媒体排出システム。
【請求項１３】
遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、
前記遊技媒体排出機が、
遊技媒体の排出要求情報の種別を判定する排出要求種別判定手段と、
前記排出要求情報の種別に基づいて、前記遊技機内から遊技媒体を排出させ、または前記遊技媒体排出部から遊技媒体を排出させるよう排出経路を切り替える排出経路切替手段と
を具備することを特徴とする遊技媒体排出システム。
【請求項１４】
貸し出される遊技媒体に係る消費税に対応する遊技媒体数を減算、または獲得した遊技媒体を再び遊技に用いる再遊技に係る手数料に対応する遊技媒体数を減算して、遊技媒体を排出可能な遊技媒体排出機と、管理装置とを備え、前記遊技媒体排出機と前記管理装置とがそれぞれ通信可能に接続された遊技媒体排出システムであって、
前記遊技媒体排出機が、１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、前記消費税に対応する遊技媒体数の減算、または前記獲得した遊技媒体を再び遊技に用いる再遊技に係る手数料に対応する遊技媒体数の減算を行うことを特徴とする遊技媒体排出システム。
【手続補正２】
【補正対象書類名】明細書
【補正対象項目名】００１１
【補正方法】変更
【補正の内容】
【００１１】
また、本発明の遊技媒体排出機は、遊技機に隣接して設置され、遊技媒体を排出可能な遊技媒体排出部と、排出要求に基づいて、前記遊技機内から遊技媒体を排出させ、または前記遊技媒体排出部から遊技媒体を排出させるよう排出経路を切り替える排出経路切替手段とを具備することを特徴とする。
【手続補正３】
【補正対象書類名】明細書
【補正対象項目名】００１２
【補正方法】変更
【補正の内容】
【００１２】
この遊技媒体排出機によれば、遊技媒体の排出要求に基づいて、遊技媒体を遊技機内から排出する場合と、遊技媒体排出部から排出させる場合とに排出経路を切り替えることができる。例えば、通常の貸玉を行う場合には、遊技機から排出して順法し、所定数未満を排出する場合が多い、例えば消費税分や再プレー手数料分を減算して排出する場合などには、遊技媒体排出部から排出することができる。また、度数や貯玉数の最後の残数が、例えば８０円分の場合であっても、８０円の消費税分の４円（消費税率５％の場合）を差し引いた７６円分に相当するパチンコ玉数（１９玉）を遊技媒体排出部から排出し、残数を０にすることができる。
【手続補正４】
【補正対象書類名】明細書
【補正対象項目名】００２３
【補正方法】変更
【補正の内容】
【００２３】
本発明の遊技媒体排出方法は、貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、排出する遊技媒体が所定数以上または所定数未満であるかを所定数未満判定手段が判定する所定数未満判定ステップと、前記排出する遊技媒体が所定数以上の場合には、隣接された遊技機内から前記所定数の遊技媒体を排出させ、前記排出する遊技媒体が所定数未満の場合には、前記遊技機に隣接して設置された遊技媒体排出部から排出させるよう排出経路切替手段が排出経路を切り替える排出経路切替ステップとを具備することを特徴とする。
【手続補正５】
【補正対象書類名】明細書
【補正対象項目名】００２５
【補正方法】変更
【補正の内容】
【００２５】
また、本発明の遊技媒体排出方法は、貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、排出要求に基づいて、隣接された遊技機内から遊技媒体を排出させ、または前記遊技機に隣接して設置された遊技媒体排出部から遊技媒体を排出させるよう排出経路切替手段が排出経路を切り替える排出経路切替ステップを具備することを特徴とする。
【手続補正６】
【補正対象書類名】明細書
【補正対象項目名】００２６
【補正方法】変更
【補正の内容】
【００２６】
この遊技媒体排出方法によれば、遊技媒体の排出要求に基づいて、遊技媒体を遊技機内から排出する場合と、遊技媒体排出部から排出させる場合とに排出経路を切り替えることができる。例えば、通常の貸玉を行う場合には、遊技機から排出して順法し、所定数未満を排出する場合が多い、例えば消費税分や再プレー手数料分を減算して排出する場合などには、遊技媒体排出部から排出することができる。また、度数や貯玉数の最後の残数が、例えば８０円分の場合であっても、８０円の消費税分の４円（消費税率５％の場合）を差し引いた７６円分に相当するパチンコ玉数（１９玉）を遊技媒体排出部から排出し、残数を０にすることができる。
【手続補正７】
【補正対象書類名】明細書
【補正対象項目名】００２７
【補正方法】変更
【補正の内容】
【００２７】
さらに、本発明の遊技媒体排出方法は、貸し出される遊技媒体に係る消費税に対応する遊技媒体数を減算、または獲得した遊技媒体を再び遊技に用いる再遊技に係る手数料に対応する遊技媒体数を減算して、遊技媒体を排出する遊技媒体排出機における遊技媒体排出方法であって、前記遊技媒体排出機が、１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、前記消費税に対応する遊技媒体数の減算、または前記獲得した遊技媒体を再び遊技に用いる再遊技に係る手数料に対応する遊技媒体数の減算を行うことを特徴とする。
【手続補正８】
【補正対象書類名】明細書
【補正対象項目名】００３０
【補正方法】変更
【補正の内容】
【００３０】
本発明の遊技媒体排出システムは、遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、前記遊技媒体排出機が、排出する遊技媒体が所定数以上または所定数未満であるかを判定する所定数判定手段と、前記排出する遊技媒体が所定数以上の場合には、前記遊技機内から前記所定数の遊技媒体を排出させ、前記排出する遊技媒体が所定数未満の場合には、前記遊技媒体排出部から排出させるよう排出経路を切り替える排出経路切替手段とを具備することを特徴とする。
【手続補正９】
【補正対象書類名】明細書
【補正対象項目名】００３３
【補正方法】変更
【補正の内容】
【００３３】
また、本発明の遊技媒体排出システムは、遊技機に隣接して設置され、遊技媒体を排出可能な遊技媒体排出部を有し、前記遊技機に所定数の遊技媒体を排出する遊技媒体排出機と、管理装置とを備え、前記遊技媒体排出機と前記管理装置とがそれぞれ通信可能に接続された遊技媒体排出システムであって、前記遊技媒体排出機が、遊技媒体の排出要求情報の種別を判定する排出要求種別判定手段と、前記排出要求情報の種別に基づいて、前記遊技機内から遊技媒体を排出させ、または前記遊技媒体排出部から遊技媒体を排出させるよう排出経路を切り替える排出経路切替手段とを具備することを特徴とする。
【手続補正１０】
【補正対象書類名】明細書
【補正対象項目名】００３６
【補正方法】変更
【補正の内容】
【００３６】
さらに、本発明の遊技媒体排出システムは、貸し出される遊技媒体に係る消費税に対応する遊技媒体数を減算、または獲得した遊技媒体を再び遊技に用いる再遊技に係る手数料に対応する遊技媒体数を減算して、遊技媒体を排出可能な遊技媒体排出機と、管理装置とを備え、前記遊技媒体排出機と前記管理装置とがそれぞれ通信可能に接続された遊技媒体排出システムであって、前記遊技媒体排出機が、１回の遊技媒体排出要求に対して、複数回にわたって遊技媒体の排出を行う場合には、前記複数回にわたる排出のうち、任意の１回の排出に係る所定数で可能な場合には該所定数から、前記任意の１回の排出に係る所定数で不可能な場合には複数回の排出に係る各所定数から、前記消費税に対応する遊技媒体数の減算、または前記獲得した遊技媒体を再び遊技に用いる再遊技に係る手数料に対応する遊技媒体数の減算を行うことを特徴とする。